(57)【要約】【課題】遊技機用センサに装着されているコネクタの、確実でかつ安価な抜け止めを達成できるコネクタ抜け止め構造、およびそれを備えた弾球遊技機を提供すること。【解決手段】弾球遊技機１において、遊技機用センサとしての第２の磁気センサ５６は、センサ固定構造７１を用いて、サイドランプユニット３１の背面板４９の背面に固定される。センサ固定構造７１は、背面視でコ字枠状をなす収容空間区画壁７２と、収容空間区画壁７２によって形成されたセンサ収容空間７３からの第２の磁気センサ５６のＸ方向の抜け止めを図る一対のセンサ抜け止め片７４，７５と、センサ収容空間７３に配置されている第２の磁気センサ５６からコネクタ６４を抜け止めるためのコネクタ抜け止め構造７６とを含む。コネクタ抜け止め構造７６は、一対のセンサ抜け止め片７４，７５に設けられている。【選択図】図６
2015136588.tif 000002
【特許請求の範囲】
【請求項１】
コネクタが装着されている状態でセンサ収容空間に配置されている遊技機用センサから前記コネクタを抜け止めるための構造であって、前記コネクタと対向配置されて当該コネクタを抜け止めるためのコネクタ抜け止め面が、前記遊技機用センサを前記センサ収容空間から抜け止めるためのセンサ抜け止め片に設けられている、コネクタ抜け止め構造。
【請求項２】
遊技盤と、前記遊技盤に配置される遊技機用ユニットとを有する弾球遊技機であって、
前記遊技機用ユニットは、
遊技機用センサと、
前記遊技機用センサを収容するためのセンサ収容空間を区画する収容空間区画壁と、
前記遊技機用センサを前記センサ収容空間から抜け止めるためのセンサ抜け止め片と、
請求項１に記載の前記コネクタ抜け止め構造とを含む、弾球遊技機。
【請求項３】
前記遊技機用センサは、前記弾球遊技機に対する不正を検出するための不正検出センサを含む、請求項２に記載の弾球遊技機。
【発明の詳細な説明】
【技術分野】
【０００１】
本発明は、遊技機用センサに装着されているコネクタの抜け止め構造であるコネクタ抜け止め構造、およびそれを備えた弾球遊技機に関する。
【背景技術】
【０００２】
下記特許文献１には、主制御基板に設けられたコネクタ受け部に装着（嵌合）されたコネクタに、コネクタおよびコネクタ受け部を覆うように取り付けられて、これにより、コネクタの抜けを防止する抜け止め部材（コネクタ抜け止め部材）が記載されている。
【先行技術文献】
【特許文献】
【０００３】
【特許文献１】特開２００５−０６５７４９号公報
【発明の概要】
【発明が解決しようとする課題】
【０００４】
特許文献１のように、弾球遊技機では、コネクタを抜け止めるべく、それ専用の抜け止め部材を用いることが多い。
ところで、サイドランプユニット等の遊技機用ユニットには、不正検出センサ等の遊技機用センサが搭載されている。この遊技機用センサには、ハーネス接続のために、コネクタが装着されている。ところが、このようなコネクタにおいて抜け止めは行われていない。
【０００５】
本願発明者は、遊技機用センサからのコネクタの抜け止めを検討している。この場合において、特許文献１に記載のように、コネクタの抜け止め専用の抜け止め部材を用いるとすると、コストアップするおそれがある。
そこで、本発明の目的は、遊技機用センサに装着されているコネクタの、確実でかつ安価な抜け止めを達成できるコネクタ抜け止め構造、およびそれを備えた弾球遊技機を提供することである。
【課題を解決するための手段】
【０００６】
前記の目的を達成するための請求項１に記載の発明は、コネクタ（６４）が装着されている状態でセンサ収容空間（７３）に配置されている遊技機用センサ（５６）から前記コネクタを抜け止めるための構造（７６，１７６，２７６）であって、前記コネクタと対向配置されて当該コネクタを抜け止めるためのコネクタ抜け止め面（８６，９０，１８６，１９０，２８６）が、前記遊技機用センサに対向配置されて当該遊技機用センサを前記センサ収容空間から抜け止めるためのセンサ抜け止め片（７４，７５，１７４，２７４）に設けられている、コネクタ抜け止め構造である。
【０００７】
なお、この項において、括弧内の数字等は、後述の実施形態における対応構成要素の参照符合を表すものであるが、これらの参照符号により特許請求の範囲を実施形態に限定する趣旨ではない。
請求項２に記載の発明は、遊技盤（５）と、前記遊技盤に配置される遊技機用ユニット（３１）とを有する弾球遊技機（１）であって、前記遊技機用ユニットは、遊技機用センサ（５６）と、遊技機用センサ（５６）を収容するためのセンサ収容空間（７３）を区画する収容空間区画壁（７２）と、前記遊技機用センサを前記センサ収容空間から抜け止めるためのセンサ抜け止め片（７４，７５，１７４，２７４）と、請求項１に記載の前記コネクタ抜け止め構造とを含む、弾球遊技機である。
【０００８】
請求項３に記載の発明は、前記遊技機用センサは、前記弾球遊技機に対する不正を検出するための不正検出センサを含む、請求項２に記載の弾球遊技機である。
【発明の効果】
【０００９】
遊技機用センサに装着されているコネクタの、確実でかつ安価な抜け止めを達成できる。
【図面の簡単な説明】
【００１０】
【図１】本発明の第１の実施形態に係る弾球遊技機の斜視図である。
【図２】図１に示す弾球遊技機に含まれる遊技盤の正面図である。
【図３】図２に示すサイドランプユニットの斜視図である（その１）。
【図４】図２に示すサイドランプユニットの斜視図である（その２）。
【図５】図２に示すサイドランプユニットの斜視図である（その３）。
【図６】本発明の第１の実施形態に係るコネクタ抜け止め構造を含むセンサ固定構造を示す斜視図である。
【図７】図６に示すセンサ固定構造の拡大平面図である。
【図８】図７に示す切断面線VIII−VIIIから見た図である。
【図９】本発明の第２の実施形態に係るコネクタ抜け止め構造を含むセンサ固定構造を示す斜視図である。
【図１０】図９に示すセンサ固定構造の拡大平面図である。
【図１１】図１０に示す切断面線XI−XIから見た図である。
【図１２】本発明の第３の実施形態に係るコネクタ抜け止め構造を含むセンサ固定構造を示す斜視図である。
【図１３】図１２に示すセンサ固定構造の拡大平面図である。
【図１４】図１３に示す切断面線XIV−XIVから見た図である。
【図１５】本発明の第１の実施形態の変形例を示す拡大平面図である。
【図１６】図１５に示す変形例の断面図である。
【発明を実施するための形態】
【００１１】
以下では、この発明の実施の形態を、添付図面を参照して詳細に説明する。
図１は、本発明の第１の実施形態に係る弾球遊技機の斜視図である。弾球遊技機１は、遊技店内に配列された遊技島への取付け（設置）のための略四角枠状の外枠２と、この外枠２に対し片開き可能に取り付けられた前枠３とを備えている。外枠２の左右一方、たとえば左側のヒンジ４によって、前枠３はヒンジ４の回動軸まわりに回動可能に保持されている。
【００１２】
前枠３の上部分には、遊技盤５（図２参照）が収容保持されている。前枠３の下部分には、発射装置（図示しない）が収容保持されている。前枠３の手前側には、前扉６が開閉可能に設けられている。また、前枠３の手前側には、前扉６の下方に、下部開閉板７が開閉可能に設けられている。前扉６には、遊技盤５に対向する位置に略円形の開口８が形成されている。この開口８には、ガラス板などの透明板９が嵌められていて、前扉６を閉じた状態で、その透明板９を介して、透明板９の奥側の遊技盤５（図２参照）を視認することができるようになっている。前扉６の上部には、左右一対のスピーカ１０が配設されている。また、前扉６の下部には、左右一対のランプユニット１１が配設されている。
【００１３】
下部開閉板７には、遊技に使用する鉄（強磁性体）製の遊技玉（パチンコ玉）を貯留しておくための上皿１２と、上皿１２からオーバーフロー路（図示しない）を通して溢れた遊技玉を受け止める下皿１３とが上下に並んで設けられている。また、下皿１３の右側には、遊技玉を遊技盤５に打ち出す際に操作されるハンドル１４が配設されている。遊技者が、ハンドル１４を把持して回転操作することにより、発射装置から遊技盤５に向けて遊技玉を発射することができ、また、ハンドル１４の回転角度を調整することにより、遊技盤５に向けて発射される遊技玉の勢いを調節することができる。
【００１４】
図２は、遊技盤５の正面図である。遊技盤５の盤面には、中央部に略円形の遊技領域Ｓが設定されている。遊技領域Ｓの周縁には、発射装置から発射された遊技玉を、遊技盤５の上方（左側上部）に導くための略円弧状のガイドレール１５と、ガイドレール１５に対向するように延びる内レール１６とが配置されている。内レール１６の先端は遊技領域Ｓの上部まで延びていて、発射装置により発射された遊技玉は、内レール１６とガイドレール１５との間を通って遊技領域Ｓの上部へと導かれる。遊技領域Ｓには、多数本の障害釘（図示しない）が植設されている。
【００１５】
遊技盤５の中央部には、センターユニット１７が取り付けられている。センターユニット１７は、液晶表示装置１８と、液晶表示装置１８の外側を取り囲む枠部材１９とを含む。枠部材１９の周囲は、所定のモチーフに基づく装飾２０が取り付けられている。
遊技領域Ｓの下部には、第１の特別図柄始動口２１、第２の特別図柄始動口２２および電動チューリップ役物２３をユニット化して構成される始動入賞口ユニット２４が配置されている。第１の特別図柄始動口２１および第２の特別図柄始動口２２は、上下に並置されている。電動チューリップ役物２３は、第２の特別図柄始動口２２を開閉する一対の可動羽根２３Ａを含み、各可動羽根２３Ａの先端部が互いに接近する状態に窄められた姿勢（以下「狭窄姿勢」という）と、一対の可動羽根２３Ａが互いに離間するように拡開された姿勢（以下「拡開姿勢」という）との間で姿勢変形可能に設けられている。第１または第２の特別図柄始動口２１，２２に遊技玉が入ると、予め定める個数（第１の特別図柄始動口２１への遊技玉入玉に対してはたとえば５玉、または第２の特別図柄始動口２２への遊技玉入玉に対してはたとえば３玉の賞玉が、賞玉払出装置（図示しない）から払い出される。また、第１または第２の特別図柄始動口２１，２２への遊技玉の入玉に伴って、次
に述べる可変入賞役物２７が可変入賞口２５の開閉動作を複数回行う大当たり遊技を実行するか否かを決定するための大当たり抽選が実行される。
【００１６】
始動入賞口ユニット２４の下方には、たとえば、左右に長い平面視長略方形状をなす可変入賞口２５を有する可変入賞口ユニット２６が配置されている。可変入賞口２５は、左右方向に関して、複数個（たとえば３〜４個）の遊技玉が同時に入玉可能なサイズに形成されている。可変入賞口２５は、横長の矩形板状の可変入賞役物２７によって開閉される。可変入賞口２５に遊技玉が入玉すると、予め定める個数（たとえば１０玉）の賞玉が、賞玉払出装置から払い出される。
【００１７】
遊技領域Ｓのたとえば左部（センターユニット１７の左方）には、遊技盤５の盤面に沿って流下する遊技玉が通過可能な普通ゲート２８が配設されている。普通ゲート２８を遊技玉が通過すると、電動チューリップ役物２３を開状態にするか否かを決定するための普通図柄抽選が実行される。
また、遊技領域Ｓの左下部には、第１の普通入賞口２９および第２の普通入賞口３０をユニット化して構成されるサイドランプユニット（遊技機用ユニット）３１が配置されている。各普通入賞口２９，３０に遊技玉が入賞すると、予め定める個数（たとえば１０玉）の賞玉が、賞玉払出装置（図示しない）から払い出される。
【００１８】
サイドランプユニット３１は、遊技領域Ｓの左下部で内レール１６の内側に沿って配設されている。サイドランプユニット３１は、当該ベニヤ板を構成する矩形のベニヤ板における、内レール１６の内側に沿う部分に対応して形成されたサイドランプユニット装着孔（図示しない）に前側から着脱可能に嵌合されており、ベニヤ板にねじ止め等によって固定されている。サイドランプユニット３１の背面は、遊技盤５の背面側に露出している。
【００１９】
遊技者のハンドル操作により、遊技盤５の左側上部からガイドレール１５および内レール１６に沿って右斜め上方に向けて放たれた遊技玉は、遊技領域Ｓの左上部分から右斜め上方に向けて（ガイドレール１５および内レール１６に沿って）放たれる。遊技領域Ｓの左上部分から放たれた遊技玉は、遊技領域Ｓの左半分（左部分および左下部分）の多数本棚の障害釘（図示しない）の間を通って流下していく。遊技領域Ｓを流下する遊技玉のうち、第１もしくは第２の特別図柄始動口２１，２２、可変入賞口２５および第１，第２普通入賞口２９，３０のいずれにも入玉しなかった遊技玉（アウト玉）は、遊技領域Ｓの下部に形成されたアウト口３２から機内に入り、玉回収部（図示しない）に回収される。
【００２０】
図３〜図５は、サイドランプユニット３１の斜視図である。図３および図４には、前方左斜め上方から見た斜視図を、図５には後方左斜め上方から見た斜視図をそれぞれ示す。また、図４には、分解図を示す。図３〜図５を参照して、サイドランプユニット３１の構成について説明する。以下、弾球遊技機１（図１参照）の背面方向をＹ方向として説明する。
【００２１】
サイドランプユニット３１は、２つの普通入賞口を有する２連の普通入賞口ユニットとしての機能と、サイドランプとしての機能とを併せ持っている。サイドランプユニット３１は、図４に示すように、略円弧状に延びる台板３３と、台板３３よりも一回り小さい相似形の正面形状を有し、台板３３の背面に取り付けられる裏箱３４と、裏箱３４内に収容配置され、裏箱３４の前面側に収容配置されるサイドランプ基板３５と、台板３３内に収容され、サイドランプ基板３５の帯電を防止するためのシールド板（図示しない）と、台板３３の次に述べる第１の流入孔３６の前方を覆うように取り付けられて、第１の普通入賞口２９を区画する第１の入賞口役物３７と、台板３３の次に述べる第２の流入孔３８の前方を覆うように取り付けられて、第２の普通入賞口３０を区画する第２の入賞口役物３９と、台板３３の左上端部の前面に取り付けられる、外郭形状が下に凸の略三角形の装飾４０とを含む。台板３３と裏箱３４とが互いに前後に組み付けられることにより、サイドランプユニット３１の主要部が構成されている。
【００２２】
台板３３は、遊技盤５を構成するベニヤ板に形成されるサイドランプユニット装着孔（図示しない）を塞ぐように、当該ベニヤ板の前面に沿って配置される略円弧状の板状部４１と、板状部４１の外周縁のやや内寄り(周縁部)から後方に向けて突出する環状の周壁部４２とを一体に備えている。
【００２３】
板状部４１は、遊技盤５の内レール１６（図２参照）の右下部分に沿う略円弧状をなしている。サイドランプユニット３１を遊技盤５（図２参照）に装着した状態では、板状部４１の周縁部の背面が、遊技盤５の前面に面接触する。すなわち、サイドランプユニット３１の装着状態において遊技盤５の前面と板状部４１の前面とは略同一平面に含まれる。
【００２４】
図４に示すように、板状部４１の中央部分には、第１の流入孔３６が形成されている。板状部４１の右下端部には、第２の流入孔３８が形成されている。各流入孔３６，３８は、遊技玉の直径よりもやや大きな略円形をなし、板状部４１を前後方向に貫通している。
板状部４１の上側縁部には、第１および第２の案内部材６６，６７が、長手方向に間隔を空けて配置されている。第１の案内部材６６の上面は、左側（遊技領域Ｓ（図２参照）の中心側）に向かうに従って下がる緩やかな傾斜面からなる第１の案内面６８を有している。第２の案内部材６８の上面は、左側（遊技領域Ｓ（図２参照）の中心側）に向かうに従って下がる緩やかな傾斜面からなる第２の案内面６９を有している。案内面６８，６９は、遊技玉を、普通入賞口２９，３０の側方に案内する。
【００２５】
図３および図４に示すように、装飾４０を装着するための三角枠状の装飾装着部４５が設けられている。装飾装着部４５の上面は、左側（遊技領域Ｓ（図２参照）の中心側）に向かうに従って下がる緩やかな傾斜面からなる案内面４６を有している。案内面４６は、遊技玉を、装飾装着部４５（装飾４０）の側方に案内する。
図４に示すように、板状部４１の後側には、第１の流入孔３６に流入した遊技玉を後ろ向きに案内するための第１の案内樋（図示しない）と、第２の流入孔３８に流入した遊技玉を後ろ向きに案内するための樋状の第２の案内樋４８とが設けられている。第１の案内樋および第２の案内樋４８はそれぞれ背面視で当該流入孔３６，３８の下方および両側方を取り囲む略Ｕ字状をなしている。第１の案内樋および第２の案内樋４８は、周壁部４２と同じ前後幅を有している。
【００２６】
周壁部４２は、板状部４１の外周の略全域に亘って、ほぼ等しい前後幅を有して設けられている。サイドランプユニット装着孔にサイドランプユニット３１を嵌合させる際に、サイドランプユニット装着孔の内周壁（図示しない）に周壁部４２が摺接または近接するようになる。
板状部４１、周壁部４２、第１の案内樋および第２の案内樋４８ならびに装飾装着部４５は、合成樹脂材料（ポリカーボネート(Polycarbonate)やＡＢＳ樹脂など）を用いて一体的に形成されており、これらにより台板３３が設けられている。
【００２７】
裏箱３４は、サイドランプユニット３１の背面を構成する平面視略円弧状の背面板４９を備えている。背面板４９には、第１のスイッチ装着部５２が設けられている。第１のスイッチ装着部５２には、近接センサからなる第１の検出スイッチ５１が装着されている。背面板４９において第１のスイッチ装着部５２の上方には、第１の案内樋を流通する遊技玉を第１の検出スイッチ５１に向けて案内する第１の案内流路部６１が形成されている。
【００２８】
また、背面板４９には、第２のスイッチ装着部５４が設けられている。第２のスイッチ装着部５４には、近接センサからなる第２の検出スイッチ５３が装着されている。背面板４９において第２のスイッチ装着部５４の上方には、第２の案内樋４８を流通する遊技玉を第２の検出スイッチ５３に向けて案内する第２の案内流路部６２が形成されている。第１および第２の検出スイッチ５１，５３は、それぞれ、たとえばスイッチ本体の上下面を貫通する貫通孔に対する、遊技玉の通過を検出する高周波発振形の貫通型近接センサである。
【００２９】
背面板４９、第１および第２のスイッチ装着部５２，５４、第１および第２の案内流路部６１，６２は、合成樹脂材料（ポリカーボネート(Polycarbonate)やＡＢＳ樹脂など）を用いて一体的に形成されている。
背面板４９の背面には、複数の磁気センサ５５〜５７が配置されている。具体的には、背面板４９の左上端部の背面には第１の磁気センサ装着部５８が設けられており、第１の磁気センサ装着部５８に第１の磁気センサ５５が収容配置されている。また、背面板４９の背面において第１のスイッチ装着部５２の左斜め上方には、第２の磁気センサ装着部５９が設けられており、第２の磁気センサ装着部５９に第２の磁気センサ５６が収容配置されている。また、背面板４９の背面において第１のスイッチ装着部５２と第２のスイッチ装着部５４との間には、第３の磁気センサ装着部６０が設けられており、第３の磁気センサ装着部６０に第３の磁気センサ５７が収容配置されている。第１〜第３の磁気センサ５５〜５７は、所定の磁界を検出することにより検出信号を出力するようになっている。第１〜第３の磁気センサ５５〜５７には、スイッチング出力タイプの磁気センサを採用することができる。
【００３０】
各磁気センサ５５〜５７は、略直方体状をなす本体６３と、コネクタ６４（図５には図示しない。図６〜図８に、第２の磁気センサ５６のコネクタ６４を図示）を介して本体６３と接続されたハーネス６５（図５には、第２の磁気センサ５６のハーネス６５のみを図示し、第１および第３の磁気センサ５５，５７のハーネスの図示を省略する）とを含む。これらのハーネス６５には、磁気センサ５５〜５７に給電するための給電用ハーネスや、磁気センサ５５〜５７からの出力を送り出す信号線が含まれている。
【００３１】
第１〜第３の磁気センサ５５〜５７は、いわゆる大玉ゴトというゴト行為（不正行為）を検出するために用いられている。大玉ゴトは、通常の遊技玉より一回り大きな鉄（強磁性体）製の不正用玉（ベアリングの玉）を、遊技盤５の入賞口（普通入賞口２９，３０）に入賞させることにより当該入賞口（普通入賞口２９，３０）に対応する検出スイッチ（検出スイッチ５１，５３）に故意に詰まらせ、その不正用玉に電磁波を不正に照射して、検出スイッチを誤動作させるものである。入賞口への不正用玉の誘導は、透明板９（図１参照）の前から磁石を用いて行われる。
【００３２】
弾球遊技機１は、遊技の動作制御を司る主制御基板（図示しない）と、この主制御基板に、当該主制御基板からの信号を入力可能にそれぞれ接続された演出制御基板（図示しない）と、主制御基板に接続された外部出力端子基板（図示しない）とを含む。また、演出制御基板には、液晶制御基板（図示しない）が演出制御基板からの信号を入力可能に接続されている。各制御基板には、たとえばマイクロコンピュータが実装されている。
【００３３】
第１〜第３の磁気センサ５５〜５７の検出により大玉ゴトの発生が検出された場合、主制御基板は、異常が発生した旨の制御コマンドを演出制御基板に送信する。このような制御コマンドを演出制御基板から受信した液晶制御基板は、液晶表示装置１８（図２参照）に「不正がされています」など不正がある旨のメッセージを表示する。また、演出制御基板は、ランプユニット１１（図１参照）を所定のエラー態様で点灯制御させるとともに、スピーカ１０（図１参照）から警告音を出力させる。さらに、主制御基板は、外部出力端子基板を通して、当該弾球遊技機１が設置されている遊技店の店舗コンピュータ（図示しない）に、不正があった旨の出力を行う。
【００３４】
弾球遊技機１では、磁気センサ５５〜５７がサイドランプユニット３１における普通入賞口２９，３０に配置されている。そのため、普通入賞口２９，３０に関して行われる大玉ゴトを精度良く検出できる。第２の磁気センサ５６は、センサ固定構造７１を用いて背面板４９の背面に固定されている。
図６は、本発明の第１の実施形態に係るセンサ固定構造７１を示す斜視図である。図７は、センサ固定構造７１の拡大平面図である。図８は、図７に示す切断面線VIII−VIIIから見た図である。以下の説明では、次に述べるセンサ収容空間７３からコネクタ６４を抜き取る一方向（第２の磁気センサ５６の本体６３の長手方向に沿う一方向）をＸ方向とし、背面板４９の背面に沿いかつＸ方向と直交する方向をＺ方向として説明する。
【００３５】
センサ固定構造７１は、背面板４９の背面から突出する、背面視でコ字枠状をなす収容空間区画壁７２と、収容空間区画壁７２によって形成されたセンサ収容空間７３からの第２の磁気センサ５６のＸ方向の抜け止めを図る第１および第２のセンサ抜け止め片７４，７５と、センサ収容空間７３に配置されている第２の磁気センサ５６からコネクタ６４を抜け止めるためのコネクタ抜け止め構造７６とを含む。コネクタ抜け止め構造７６は、各センサ抜け止め片７４，７５に設けられている、後述する第１および第２のコネクタ抜け止め面８６，９０を含む。
【００３６】
収容空間区画壁７２は、第２の磁気センサ５６を収容するための直方体状のセンサ収容空間７３を区画するためのものであり、背面視で略コ字枠状をなしている。センサ収容空間７３は、第２の磁気センサ５６の本体６３と整合する大きさに形成されている。収容空間区画壁７２は、裏箱３４の背面板４９と一体的に設けられており、背面板４９の背面から背面方向に向けて立ち上がっている。収容空間区画壁７２の互いに対向する一対の側壁７２Ａには、それぞれセンサ収容空間７３の内方に向けて突出する爪部７７が一体的に形成されている。各爪部７７は、センサ収容空間７３からの第２の磁気センサ５６の背面方向（Ｙ方向）の抜け止めを図るものである。
【００３７】
図７および図８を参照して、第１および第２のセンサ抜け止め片７４，７５は、背面板４９において、収容空間区画壁７２の開放側（Ｘ方向側）に配置されている。具体的には、背面板４９には、収容空間区画壁７２のＸ方向側に、凹所７８が形成されている。凹所７８におけるＺ方向の一方側（図７に示す上側）の側辺は、収容空間区画壁７２の一方側の側壁７２Ａよりも一方側に位置しており、凹所７８におけるＺ方向の他方側（図７の下側）の側辺は、収容空間区画壁７２の一方側の側壁７２Ａよりも他方側に位置している。第１のセンサ抜け止め片７４は、凹所７８におけるＺ方向の一方側の側辺から、Ｚ方向の他方側に向けて背面板４９に沿って延びる第１の抜け止め片本体７９と、第１の抜け止め片本体７９の先端から背面方向（Ｙ方向）に向けて立ち上がる略方形状の第１の抜け止め部８０とを一体的に含む。第２のセンサ抜け止め片７５は、凹所７８における他方側の側辺（第１の抜け止め片本体７９が設けられる側辺と対向する側辺）から、Ｚ方向の一方側に向けて背面板４９に沿って延びる第２の抜け止め片本体８１と、第２の抜け止め片本体８１の先端から背面方向（Ｙ方向）に向けて立ち上がる略方形状の抜け止め部８２とを一体的に含む。第１および第２の抜け止め片本体７９，８１は、互いに接近する方向に延びている。
【００３８】
この実施形態では、第１および第２の抜け止め片本体７９，８１が、合成樹脂製の背面板４９に設けられた凹所７８によって小幅に縁取られることにより形成されており、そのため、第１および第２のセンサ抜け止め片７４，７５は、それぞれ弾性片として機能する。
第１の抜け止め部８０と第２の抜け止め部８２との間には、コネクタ６４の長手方向長さ（Ｚ方向長さ）よりも短い所定の間隔の隙間Ｓ１が設けられている。センサ収容空間７３への第２の磁気センサ５６の収容状態においては、隙間Ｓ１をハーネス６５が挿通する。ハーネス６５は複数本（たとえば３本）のケーブルを含む。
【００３９】
第１の抜け止め部８０は、Ｘ方向と反対側の端面が第１のセンサ抜け止め面８３として機能する。第１のセンサ抜け止め面８３は、センサ収容空間７３に収容された第２の磁気センサ５６の本体６３の先端面６３ＡのＺ方向の一方側端部（図７に示す上端部）に近接状態で対向する。第１のセンサ抜け止め面８３は、センサ収容空間７３への収容状態からＸ方向に移動しようとする第２の磁気センサ５６の先端面５６ＡのＺ方向の一方側端部と当接し、これにより、センサ収容空間７３からの第２の磁気センサ５６のＸ方向の移動を規制している。また、第１の抜け止め部８０における、第２の抜け止め部８２との対向面８４におけるＸ方向と反対側の端部には、第１のセンサ抜け止め面８３に連続する第１のＬ段部８５が形成されている。第１のＬ段部８５は、第２の磁気センサ５６がセンサ収容空間７３に収容配置された状態で、コネクタ６４の先端面６４Ａに対向する第１のコネクタ抜け止め面８６と、第１のコネクタ抜け止め面８６に直交かつ連続する第１の側面９３とを含む。第１のコネクタ抜け止め面８６は、Ｘ方向に関連して、第１のセンサ抜け止め面８３よりもＸ方向側に寄っている。第１のセンサ抜け止め面８３および第１のコネクタ抜け止め面８６は、互いに平行な平坦面である。
【００４０】
第２の抜け止め部８２は、Ｘ方向と反対側の端面が第２のセンサ抜け止め面８７として機能する。第２のセンサ抜け止め面８７は、センサ収容空間７３に収容された第２の磁気センサ５６の本体６３の先端面６３ＡのＺ方向の他方側端部（図７に示す下端部）に近接状態で対向する。第２のセンサ抜け止め面８７は、センサ収容空間７３への収容状態からＸ方向に移動しようとする第２の磁気センサ５６の先端面５６ＡのＺ方向の他方側端部と当接し、これにより、センサ収容空間７３からの第２の磁気センサ５６のＸ方向の移動を規制している。また、第２の抜け止め部８２における、第１の抜け止め部８０との対向面８８におけるＸ方向と反対側の端部には、第２のセンサ抜け止め面８７に連続する第２のＬ段部８９が形成されている。第２のＬ段部８９は、第２の磁気センサ５６がセンサ収容空間７３に収容配置された状態でコネクタ６４の先端面６４Ａに対向する第２のコネクタ抜け止め面９０と、第２のコネクタ抜け止め面８６に直交かつ連続する第２の側面９４とを含む。第２のコネクタ抜け止め面９０は、Ｘ方向に関連して、第２のセンサ抜け止め面８７よりもＸ方向側に寄っている。第２のセンサ抜け止め面８７および第２のコネクタ抜け止め面９０は、互いに平行な平坦面である。
【００４１】
第１および第２のコネクタ抜け止め面８６，９０は、それぞれ、第２の磁気センサ５６への装着状態からＸ方向に移動（離脱）しようとするコネクタ６４の先端面６４ＡのＺ方向の両端部と当接し、これにより、コネクタ６４の離脱を規制している。ゆえに、コネクタ６４の抜け止めを図ることができる。
以上により第１の実施形態によれば、センサ抜け止め片７４，７５に設けられたコネクタ抜け止め面８６，９０によって、コネクタ６４の抜け止めを図ることができる。コネクタ抜け止め面８６，９０が、センサ抜け止め片７４，７５に設けられているので、センサ抜け止め片７４，７５とは別にコネクタ６４の抜け止め専用の抜け止め片を設ける場合と比較してコストダウンを図ることができる。これにより、第２の磁気センサ５６に装着されたコネクタ６４の、確実でかつ安価な抜け止めを達成できる。
【００４２】
図９は、本発明の第２の実施形態に係るセンサ固定構造１７１を示す斜視図である。図１０は、センサ固定構造１７１の拡大平面図である。図１１は、図１０に示す切断面線XI−XIから見た図である。
第２の実施形態において、第１の実施形態と共通する部分については、同一の参照符号を付して、説明を省略する。
【００４３】
第２の実施形態では、第２の磁気センサ装着部５９に装着された状態の第２の磁気センサ５６の向きは、第１の実施形態の場合（図７および図８参照）と異なるが、第２の磁気センサ５６および磁気センサ装着部５９に同一の参照符号を付し、説明を省略する。以下の説明において、センサ収容空間７３からコネクタ６４を抜き取る一方向をＸ方向とし、背面板４９の背面に沿いかつＸ方向と直交する方向をＺ方向として説明する。
【００４４】
センサ固定構造１７１は、背面板４９の背面から突出する、背面視でコ字枠状をなす収容空間区画壁７２と、収容空間区画壁７２によって形成されたセンサ収容空間７３からの第２の磁気センサ５６のＸ方向の抜け止めを図る１つのセンサ抜け止め片１７４と、センサ収容空間７３に配置されている第２の磁気センサ５６からコネクタ６４を抜け止めるためのコネクタ抜け止め構造１７６とを含む。コネクタ抜け止め構造１７６は、センサ抜け止め片１７４に設けられている、後述する第１および第２のコネクタ抜け止め面１８６，１９０を含む。
【００４５】
センサ抜け止め片１７４は、背面板４９において、収容空間区画壁７２の開放側（Ｘ方向側）に配置されている。具体的には、収容空間区画壁７２のＸ方向側には、凹所１７８が形成されている。センサ抜け止め片１７４は、凹所１７８におけるＸ方向側から背面板４９に沿って、Ｘ方向と反対側に向けて延びる抜け止め片本体１７９と、抜け止め片本体１７９のＺ方向の一方側（図１０に示す上側）における先端から背面方向（Ｙ方向）に向けて立ち上がる第１の抜け止め部１８０と、抜け止め片本体１７９のＺ方向の他方側（図１０に示す下側）における先端から背面方向（Ｙ方向）に向けて立ち上がる第２の抜け止め部１８２を一体的に含む。抜け止め片本体１７９は、長手方向の途中部において、Ｘ方向と反対側に向かうに従って幅広をなしている。
【００４６】
この実施形態では、抜け止め片本体１７９が、合成樹脂製の背面板４９に設けられた凹所１７８によって小幅に縁取られることにより形成されており、そのため、センサ抜け止め片１７４は弾性片として機能する。
第１の抜け止め部１８０と第２の抜け止め部１８２との間には、コネクタ６４の長手方向長さ（Ｚ方向長さ）よりも短い所定の間隔の隙間Ｓ２が設けられている。センサ収容空間７３への第２の磁気センサ５６の収容状態においては、隙間Ｓ２をハーネス６５が挿通する。ハーネス６５は複数本（たとえば３本）のケーブルを含む。
【００４７】
第１の抜け止め部１８０は、Ｘ方向と反対側の端面が第１のセンサ抜け止め面１８３として機能する。第１のセンサ抜け止め面１８３は、センサ収容空間７３に収容された第２の磁気センサ５６の本体６３の先端面６３ＡのＺ方向の一方側端部（図１０に示す上端部）に近接状態で対向する。第１のセンサ抜け止め面１８３は、センサ収容空間７３への収容状態からＸ方向に移動しようとする第２の磁気センサ５６の先端面５６ＡのＺ方向の一方側端部と当接し、これにより、センサ収容空間７３からの第２の磁気センサ５６のＸ方向の移動を規制している。また、第１の抜け止め部８０における、第２の抜け止め部１８２との対向面１８４には、第１のセンサ抜け止め面１８３に連続する第１のＬ段部１８５が形成されている。第１のＬ段部１８５は、第２の磁気センサ５６がセンサ収容空間７３に収容配置された状態でコネクタ６４の先端面６４Ａに対向する第１のコネクタ抜け止め面１８６と、第１のコネクタ抜け止め面１８６に直交かつ連続する第１の側面１９３とを含む。第１のコネクタ抜け止め面１８６は、Ｘ方向に関連して、第１のセンサ抜け止め面１８３よりもＸ方向側に寄っている。第１のセンサ抜け止め面１８３および第１のコネクタ抜け止め面１８６は、互いに平行な平坦面である。第１の抜け止め部１８０における、第２の抜け止め部１８２との対向部分からは第１の突出部１９１がＸ方向に向けて延びている。
【００４８】
第２の抜け止め部１８２は、Ｘ方向と反対側の端面が第２のセンサ抜け止め面１８７として機能する。第２のセンサ抜け止め面１８７は、センサ収容空間７３に収容された第２の磁気センサ５６の本体６３の先端面６３ＡのＺ方向の他方側端部（図１０に示す下端部）に近接状態で対向する。第２のセンサ抜け止め面１８７は、センサ収容空間７３への収容状態からＸ方向に移動しようとする第２の磁気センサ５６の先端面５６ＡのＺ方向の他方側端部と当接し、これにより、センサ収容空間７３からの第２の磁気センサ５６のＸ方向の移動を規制している。また、第２の抜け止め部１８２における、第１の抜け止め部１８０との対向面１８８には、第２のセンサ抜け止め面１８７に連続する第２のＬ段部１８９が形成されている。第２のＬ段部１８９は、第２の磁気センサ５６がセンサ収容空間７３に収容配置された状態で、コネクタ６４の先端面６４Ａに対向する第２のコネクタ抜け止め面１９０と、第２のコネクタ抜け止め面１９０に直交かつ連続する第２の側面１９３とを含む。第２のコネクタ抜け止め面１９０は、Ｘ方向に関連して、第２のセンサ抜け止め面１８７よりもＸ方向側に寄っている。第２のセンサ抜け止め面１８７および第２のコネクタ抜け止め面１９０は、互いに平行な平坦面である。第２の抜け止め部１８２における、第１の抜け止め部１８０との対向部分からは第２の突出部１９２がＸ方向に向けて延びている。
【００４９】
第１および第２のコネクタ抜け止め面１８６，１９０は、第２の磁気センサ５６への装着状態からＸ方向に移動（離脱）しようとするコネクタ６４の先端面６４ＡのＺ方向の両端部と当接し、これにより、コネクタ６４の離脱を規制している。これにより、コネクタ６４の抜け止めを図ることができる。
以上により第２の実施形態によれば、センサ抜け止め片１７４に設けられたコネクタ抜け止め面１８６，１９０によって、コネクタ６４の抜け止めを図ることができる。コネクタ抜け止め面１８６，１９０が、センサ抜け止め片１７４に設けられているので、センサ抜け止め片１７４とは別にコネクタ６４の抜け止め専用の抜け止め片を設ける場合と比較してコストダウンを図ることができる。これにより、第２の磁気センサ５６に装着されたコネクタ６４の、確実でかつ安価な抜け止めを達成できる。
【００５０】
図１２は、本発明の第３の実施形態に係るセンサ固定構造２７１を示す斜視図である。図１３は、センサ固定構造２７１の拡大平面図である。図１４は、図１３に示す切断面線XIV−XIVから見た図である。
第３の実施形態において、第１の実施形態と共通する部分については、同一の参照符号を付して、説明を省略する。第３の実施形態が、第１の実施形態と相違する点は、２つのセンサ抜け止め片７４，７５の一方（センサ抜け止め片２７４）のみにより、第２の磁気センサ５６およびコネクタ６４の抜け止めを図る点である。
【００５１】
背面板４９の裏面には、第２の磁気センサ装着部５９が設けられている。第２の磁気センサ装着部５９に装着された状態の第２の磁気センサ５６の向きは、第１の実施形態の場合（図７および図８参照）と異なるが、第２の磁気センサ５６および磁気センサ装着部５９に同一の参照符号を付し、説明を省略する。以下の説明において、センサ収容空間７３からコネクタ６４を抜き取る一方向をＸ方向とし、背面板４９の背面に沿いかつＸ方向と直交する方向をＺ方向として説明する。
【００５２】
センサ固定構造２７１は、背面板４９の背面から突出する、背面視でコ字枠状をなす収容空間区画壁７２と、収容空間区画壁７２によって形成されたセンサ収容空間７３からの第２の磁気センサ５６のＸ方向の抜け止めを図るセンサ抜け止め片２７４、センサ収容空間７３に配置されている第２の磁気センサ５６からコネクタ６４を抜け止めるためのコネクタ抜け止め構造２７６とを含む。コネクタ抜け止め構造２７６は、センサ抜け止め片２７４に設けられている、後述する第１のコネクタ抜け止め面２８６を含む。
【００５３】
センサ抜け止め片２７４は、背面板４９において、収容空間区画壁７２の開放側（Ｘ方向側）に配置されている。具体的には、背面板４９には、収容空間区画壁７２のＸ方向側に、凹所２７８が形成されている。凹所２７８におけるＺ方向の一方側（図１３に示す上側）の側辺は、収容空間区画壁７２の一方側の側壁７２Ａよりも一方側に位置している。センサ抜け止め片２７４は、第１の実施形態に係る第１のセンサ抜け止め片７４と同等の構成を有している。すなわち、センサ抜け止め片２７４は、凹所２７８におけるＺ方向の一方側の側辺から背面板４９に沿って延びる第１の抜け止め片本体７９と、第１の抜け止め片本体７９の先端から背面方向（Ｙ方向）に向けて立ち上がる略方形状の第１の抜け止め部８０とを一体的に含む。
【００５４】
この実施形態では、センサ抜け止め片２７４が、合成樹脂製の背面板４９に設けられた凹所２７８によって小幅に縁取られることにより形成されており、そのため、センサ抜け止め片２７４は弾性片として機能する。
【００５５】
第１の実施形態の場合と同様、第１のセンサ抜け止め面８３は、センサ収容空間７３に収容された第２の磁気センサ５６の本体６３の先端面６３ＡのＺ方向の一方側端部（図１３に示す上端部）に近接状態で対向する。第１のセンサ抜け止め面８３は、センサ収容空間７３への収容状態からＸ方向に移動しようとする第２の磁気センサ５６の先端面５６ＡのＺ方向の一方側端部と当接し、これにより、センサ収容空間７３からの第２の磁気センサ５６のＸ方向の移動を規制している。
【００５６】
また、第１のコネクタ抜け止め面８６は、第２の磁気センサ５６への装着状態からＸ方向に移動（離脱）しようとするコネクタ６４の先端面６４ＡのＺ方向の一方側端部と当接し、これにより、コネクタ６４の離脱を規制している。これにより、コネクタ６４の抜け止めを図ることができる。
以上により第３の実施形態によれば、センサ抜け止め片２７４に設けられた第１のコネクタ抜け止め面２８６によって、コネクタ６４の抜け止めを図ることができる。第１のコネクタ抜け止め面２８６が、センサ抜け止め片２７４に設けられているので、センサ抜け止め片２７４とは別にコネクタ６４の抜け止め専用の抜け止め片を設ける場合と比較してコストダウンを図ることができる。これにより、第２の磁気センサ５６に装着されたコネクタ６４の、確実でかつ安価な抜け止めを達成できる。
【００５７】
以上、この発明の３つの実施形態について説明したが、本発明は、他の実施形態で採用できる。
図１５は、本発明の第１の実施形態の変形例を示す拡大平面図である。図１６は、図１５に示す変形例の断面図である。この変形例では、第１の抜け止め部８０の対向面８４には、平坦面からなる第１の抜け止め部８０の上面８０Ａに連続する、第３のＬ段部３０１が形成されている。第３のＬ段部３０１は、Ｘ方向に沿う方向に関し、第１の抜け止め部８０の全域に亘って形成されている。第３のＬ段部３０１は、上面８０Ａと平行な第１の上端面３０２と、第１の上端面３０２に直交かつ連続する第１の内面３０３とを含む。第１の上端面３０２は、上面８０ＡとＹ方向に間隔Ｙ１を隔てて設けられている。第１の内面３０３は平坦面であり、第１の側面９３に連続している。
【００５８】
この変形例では、第２の抜け止め部８２の対向面８８には、平坦面からなる第２の抜け止め部８２の上面８２Ａに連続する、第４のＬ段部３０４が形成されている。第４のＬ段部３０４は、Ｘ方向に沿う方向に関し、第２の抜け止め部８２の全域に亘って形成されている。第４のＬ段部３０４は、上面８２Ａと平行な第２の上端面３０５と、第２の上端面３０５に直交かつ連続する第２の内面３０６とを含む。第２の上端面３０５は、上面８０ＡとＹ方向に間隔Ｙ２を隔てて設けられている。第２の内面３０６は平坦面であり、第２の側面９４に連続している。なお、図１６では、間隔Ｙ１と間隔Ｙ２とが等しい長さである場合を例に挙げて説明するが、間隔Ｙ１と間隔Ｙ２とが互いに異なる長さを有していてもよい。
【００５９】
第１の内面３０３と第２の内面３０６とのＺ方向の幅Ｚ１は、コネクタ６４のＺ方向の寸法よりも長く設定されている。具体的には、第１の内面３０３は、コネクタ６４のＺ方向の一方側（図１６に示す右側）の側辺よりも一方側に位置しており、第２の内面３０６は、コネクタ６４のＺ方向の他方側（図１６に示す左側）の側辺よりも他方側に位置している。
【００６０】
コネクタ６４をセンサ収容空間７３から離脱させる際には、作業者は、第１のセンサ抜け止め片７４の第１の抜け止め部８０、および第２の抜け止め片７５の第２の抜け止め部８２を、それぞれ、背面板４９（の背面）側（図１６に示すＹ方向の反対側）に向けて押し下げる。
上端面３０２，３０５がコネクタ６４の下端面（図１６に示すＹ方向の反対側の端面）よりも背面板４９側寄りに位置するまで、第３および第４のＬ段部３０１，３０４を背面板４９側に向けて押し下げたとき、コネクタ６４の離脱が可能になる。このとき、第１および第２の抜け止め部８０，８２の全てがコネクタ６４よりも、背面板４９側寄りに位置していない状態であれば、未だ、第１の抜け止め部８０および第２の抜け止め片７５と、第２の磁気センサ５６の本体６３の先端面６３Ａとの係合は保たれている。この状態では、センサ収容空間７３から第２の磁気センサ５６を離脱させることなく、コネクタ６４のみを第２の磁気センサ５６から離脱させることが可能である。
【００６１】
この状態から、第１および第２の抜け止め部８０，８２をさらに押し下げて、第１および第２の抜け止め部８０，８２の全てを、コネクタ６４よりも、背面板４９側寄りに位置させることにより、センサ収容空間７３から第２の磁気センサ５６を離脱させることが可能になり、かつコネクタ６４を第２の磁気センサ５６から離脱させることが可能になる。
図１５および図１６に示す変形例は、第１の実施形態だけでなく、第２の実施形態や第３の実施形態にも適用することができる。
【００６２】
また、前述の各実施形態では、第２の磁気センサ５６のセンサ固定構造７１，１７１，２７１（コネクタ抜け止め構造７６，１７６，２７６）について説明したが、センサ固定構造７１，１７１，２７１は、第２の磁気センサ５６を固定する構造に限られず、他の磁気センサ５５，５７を固定する構造にも適用できる。また、固定する対象となる不正検出センサは、磁気センサ５５〜５７に限られず、光学式センサ等の他の遊技機用センサとすることもできる。
【００６３】
また、サイドランプユニット３１として、２連の普通入賞口ユニットを例に挙げて説明したが、サイドランプユニット３１を、３つの普通入賞口を有する３連の普通入賞口ユニットに設けることもできる。
また、センサ固定構造７１，１７１，２７１（コネクタ抜け止め構造７６，１７６，２７６）は、不正検出センサを固定する構造に限られず、たとえば近接センサからなる検出スイッチ５１，５３をサイドランプユニット３１のケーシング（たとえば背面板４９）を固定する構造にも適用できる。
【００６４】
また、前述の各実施形態では、遊技用センサの固定先をサイドランプユニット３１と説明したが、遊技用センサの固定先は、センターユニット１７や始動入賞口ユニット２４、可変入賞口ユニット等の他の遊技機用ユニットであってもよい。
その他、特許請求の範囲に記載された事項の範囲で種々の設計変更を施すことが可能である。
【符号の説明】
【００６５】
１  弾球遊技機
５  遊技盤
３１  サイドランプユニット（遊技機用ユニット）
５６  第２の磁気センサ（遊技機用センサ）
６４  コネクタ
７２  収容空間区画壁
７３  センサ収容空間
７４  第１のセンサ抜け止め片
７５  第２のセンサ抜け止め片
７６  コネクタ抜け止め構造
８６  第１のコネクタ抜け止め面
９０  第２のコネクタ抜け止め面
１７４  センサ抜け止め片
１７６  コネクタ抜け止め構造
１８６  第１のコネクタ抜け止め面
１９０  第２のコネクタ抜け止め面
２７４  センサ抜け止め片
２７６  コネクタ抜け止め構造
２８６  コネクタ抜け止め面
【図１】
2015136588.tif 000003
【図２】
2015136588.tif 000004
【図３】
2015136588.tif 000005
【図４】
2015136588.tif 000006
【図５】
2015136588.tif 000007
【図６】
2015136588.tif 000008
【図７】
2015136588.tif 000009
【図８】
2015136588.tif 000010
【図９】
2015136588.tif 000011
【図１０】
2015136588.tif 000012
【図１１】
2015136588.tif 000013
【図１２】
2015136588.tif 000014
【図１３】
2015136588.tif 000015
【図１４】
2015136588.tif 000016
【図１５】
2015136588.tif 000017
【図１６】
2015136588.tif 000018